【事件の表示】
　特願２０１０−５４７６６３「マルチメディア会議イベントの参加者を自動的に識別する技術」拒絶査定不服審判事件〔平成２１年　８月２７日国際公開、ＷＯ２００９／１０５３０３、平成２３年　４月２１日国内公表、特表２０１１−５１２７７２〕について、次のとおり審決する。
【結　論】
　本件審判の請求は、成り立たない。
【理　由】
第１．手続の経緯
　
　本願は、２００９年（平成２１年）１月２１日（パリ条約による優先権主張外国庁受理２００８年２月２０日　米国）を国際出願日とする出願であって、平成２４年１１月１３日付けで拒絶理由の通知がなされ、これに対し、平成２５年２月１８日付けで手続補正がなされたが、平成２５年６月１３日付けで拒絶査定がなされたものである。
　本件は、上記拒絶査定を不服として、平成２５年１０月２１日に請求された拒絶査定不服審判であって、その審判請求と同時に手続補正書が提出されたものである。
　
第２．平成２５年１０月２１日付けの手続補正についての補正却下の決定
　
［補正却下の決定の結論］
　
　平成２５年１０月２１日付けの手続補正を却下する。
　
［補正却下の決定の理由］
　
１．補正の内容
　
　平成２５年１０月２１日付けの手続補正は、特許請求の範囲について、
　
　補正前（平成２５年２月１８日付け手続補正書参照）に、
　
「　【請求項１】
　マルチメディア会議イベントのミーティング招待者のリストを受け取るステップと、
　複数のミーティングコンソールから複数の入力メディアストリームを受け取るステップと、
　各前記入力メディアストリームのビデオコンテンツに、各前記入力メディアストリーム内の各参加者の識別情報で、プロセッサによりアノテーションを付けて、対応するアノテーション付きメディアストリームを形成するステップであって、前記各参加者の識別情報は、前記参加者が前記ビデオコンテンツ内で動くにつれて前記参加者ともに移動させることができる、ステップと
　を含むことを特徴とする方法。
　　【請求項２】
　各前記入力メディアストリーム内の参加者の人数を検出するステップと、
　ミーティング招待者を各前記検出された参加者にマッピングするステップと、
　各前記マッピングされた参加者の識別情報を検索するステップと、
　各前記入力メディアストリームの前記ビデオコンテンツに、各前記入力メディアストリーム内の各前記マッピングされた参加者の前記識別情報でアノテーションを付けて、前記対応するアノテーション付きメディアストリームを形成するステップと
　を含むことを特徴とする請求項１に記載の方法。
　　【請求項３】
　第１の入力メディアストリーム内の参加者の人数は１人であると判定するステップと、
　前記第１の入力メディアストリームのメディアソースに基づき、ミーティング招待者を前記第１の入力メディアストリーム内の参加者にマッピングするステップと
　を含むことを特徴とする請求項２に記載の方法。
　　【請求項４】
　第２の入力メディアストリーム内の参加者の人数は２人以上であると判定するステップと、
　顔の特徴または声の特徴に基づき、ミーティング招待者を前記第２の入力メディアストリーム内の参加者にマッピングするステップと
　を含むことを特徴とする請求項２に記載の方法。
　　【請求項５】
　前記入力メディアストリームの１つまたは連続する前記メディアフレーム内の前記マッピングされた参加者のロケーション情報を判定するステップであって、前記ロケーション情報が前記マッピングされた参加者の中心座標および境界領域を備えるステップを含むことを特徴とする請求項２に記載の方法。
　　【請求項６】
　各前記入力メディアストリームの前記ビデオコンテンツに、各前記マッピングされた参加者の前記ロケーション情報に基づき、各前記マッピングされた参加者の前記識別情報でアノテーションを付けるステップを含むことを特徴とする請求項２に記載の方法。
　　【請求項７】
　各前記入力メディアストリームの前記メディアフレームに、前記マッピングされた参加者の判定されたロケーションについての中心座標の回りの境界領域内に、各前記マッピングされた参加者の前記識別情報でアノテーションを付けるステップを含むことを特徴とする請求項２に記載の方法。
　　【請求項８】
　複数の前記アノテーション付きメディアストリームを組み合わせて混合出力メディアストリームを作成し、複数の前記ミーティングコンソールにより表示するステップを含むことを特徴とする請求項２に記載の方法。
　　【請求項９】
　命令を含むコンピュータ可読記憶媒体であって、前記命令は、実行されると、システムが、
　マルチメディア会議イベントのミーティング招待者のリストを受け取ることと、
　複数のミーティングコンソールから複数の入力メディアストリームを受け取ることと、
　各前記入力メディアストリームのビデオコンテンツに、各前記入力メディアストリーム内の各参加者の識別情報でアノテーションを付けて、対応するアノテーション付きメディアストリームを形成することであって、前記各参加者の識別情報は、前記参加者が前記ビデオコンテンツ内で動くにつれて前記参加者ともに移動させることができる、形成すること
　を可能にする命令であることを特徴とするコンピュータ可読記憶媒体。
　　【請求項１０】
　実行されると、前記システムが、
　各前記入力メディアストリーム内の参加者の人数を検出することと、
　ミーティング招待者を各前記検出された参加者にマッピングすることと、
　各前記マッピングされた参加者の識別情報を検索することと、
　各前記入力メディアストリームの前記メディアフレームに、各前記入力メディアストリーム内の各前記マッピングされた参加者の前記識別情報でアノテーションを付けて、前記対応するアノテーション付きメディアストリームを形成すること
　を可能にする命令をさらに含むことを特徴とする請求項９に記載のコンピュータ可読記憶媒体。
　　【請求項１１】
　実行されると、前記システムが、
　第１の入力メディアストリーム内の参加者の人数は１人であると判定することと、
　前記第１の入力メディアストリームのメディアソースに基づき、ミーティング招待者を前記第１の入力メディアストリーム内の参加者にマッピングすること
　を可能にする命令をさらに含むことを特徴とする請求項９に記載のコンピュータ可読記憶媒体。
　　【請求項１２】
　実行されると、前記システムが、
　第２の入力メディアストリーム内の参加者の人数が２人以上であると判定することと、
　顔の特徴または声の特徴に基づき、ミーティング招待者を前記第２の入力メディアストリーム内の参加者にマッピングすること
　を可能にする命令をさらに含むことを特徴とする請求項９に記載のコンピュータ可読記憶媒体。
　　【請求項１３】
　マルチメディア会議イベントのミーティング招待者のリストを受け取り、複数のミーティングコンソールから複数の入力メディアストリームを受け取り、各前記入力メディアストリームのビデオコンテンツに、各前記入力メディアストリーム内の各参加者の識別情報でアノテーションを付けて、対応するアノテーション付きメディアストリームを形成し、前記各参加者の識別情報は、前記参加者が前記ビデオコンテンツ内で動くにつれて前記参加者ともに移動させることができる、よう動作する、コンテンツベースのアノテーションコンポーネントを備えることを特徴とする装置。
　　【請求項１４】
　前記コンテンツベースのアノテーションコンポーネントは、
　各前記入力メディアストリーム内の参加者の人数を検出するよう動作するメディア分析モジュールと、
　前記メディア分析モジュールに通信可能に連結される参加者識別モジュールであって、ミーティング招待者を各前記検出された参加者にマッピングするよう、かつ、各前記マッピングされた参加者の識別情報を検索するよう動作する前記参加者識別モジュールと、
　前記参加者識別モジュールに通信可能に連結されるメディアアノテーションモジュールであって、各前記入力メディアストリームの前記ビデオコンテンツに、各前記入力メディアストリーム内の各前記マッピングされた参加者の前記識別情報でアノテーションを付けて、前記対応するアノテーション付きメディアストリームを形成するよう動作する前記メディアアノテーションモジュールと
　を備えることを特徴とする請求項１３に記載の装置。
　　【請求項１５】
　前記参加者識別モジュールは、第１の入力メディアストリーム内の参加者の人数が１人であると判定するよう、かつ、前記第１の入力メディアストリームのメディアソースに基づき、ミーティング招待者を前記第１の入力メディアストリーム内の参加者にマッピングするよう動作することを特徴とする請求項１４に記載の装置。
　　【請求項１６】
　前記参加者識別モジュールは、第２の入力メディアストリーム内の参加者の人数が２人以上であると判定するよう、かつ、顔の特徴、声の特徴、または前記顔の特徴および前記声の特徴の組み合わせに基づき、ミーティング招待者を前記第２の入力メディアストリーム内の参加者にマッピングするよう動作することを特徴とする請求項１４に記載の装置。
　　【請求項１７】
　前記メディアアノテーションモジュールに通信可能に連結されるロケーションモジュールであって、前記入力メディアストリームの１つまたは連続する前記メディアフレーム内の前記マッピングされた参加者のロケーション情報を判定するよう動作し、前記ロケーション情報は前記マッピングされた参加者についての中心座標および境界領域を含む前記ロケーションモジュールを備えることを特徴とする請求項１４に記載の装置。
　　【請求項１８】
　前記メディアアノテーションモジュールは、各前記入力メディアストリームの前記ビデオコンテンツに、前記ロケーション情報に基づき、各前記マッピングされた参加者の前記識別情報でアノテーションを付けるよう動作することを特徴とする請求項１４に記載の装置。
　　【請求項１９】
　前記メディアアノテーションモジュールに通信可能に連結されるメディア混合モジュールであって、複数の前記アノテーション付きメディアストリームを受け取るよう、かつ、前記複数のアノテーション付きメディアストリームを組み合わせて混合出力メディアストリームを作成し、複数の前記ミーティングコンソールによって表示するよう動作する前記メディア混合モジュールを備えることを特徴とする請求項１４に記載の装置。
　　【請求項２０】
　前記複数のミーティングコンソール間で前記マルチメディア会議イベントのマルチメディア会議の動作を管理するよう動作するマルチメディア会議サーバであって、前記コンテンツベースのアノテーションコンポーネントを備える前記マルチメディア会議サーバを備えることを特徴とする請求項１４に記載の装置。」
　
とあったものを、
　
「　【請求項１】
　マルチメディア会議イベントのミーティング招待者のリストを受け取るステップと、
　複数のミーティングコンソールから複数の入力メディアストリームを受け取るステップと、
　各入力メディアストリーム内の参加者の人数を、特定の入力メディアストリームのオーディオコンテンツと前記特定の入力メディアストリームのビデオコンテンツとのうちの一方から検出するステップであって、前記特定の入力メディアストリームの前記オーディオコンテンツと前記ビデオコンテンツとのうちの他方から、前記検出された参加者の人数を確認する、前記検出するステップと、
　各入力メディアストリームのビデオコンテンツに、各入力メディアストリーム内の検出された各参加者の識別情報で、プロセッサによりアノテーションを付けて、対応するアノテーション付きメディアストリームを形成するステップであって、前記検出された各参加者の識別情報は、前記検出された参加者が前記ビデオコンテンツ内で動くにつれて前記検出された参加者とともに移動する、ステップと
　を含むことを特徴とする方法。
　　【請求項２】
　ミーティング招待者を検出された各参加者にマッピングするステップと、
　各マッピングされた参加者の識別情報を検索するステップと、
　各入力メディアストリームの前記ビデオコンテンツに、各入力メディアストリーム内の各マッピングされた参加者の前記識別情報でアノテーションを付けて、前記対応するアノテーション付きメディアストリームを形成するステップと
　を含むことを特徴とする請求項１に記載の方法。
　　【請求項３】
　第１の入力メディアストリーム内の参加者の人数は１人であると判定するステップと、
　前記第１の入力メディアストリームのメディアソースに基づき、ミーティング招待者を前記第１の入力メディアストリーム内の参加者にマッピングするステップと
　を含むことを特徴とする請求項２に記載の方法。
　　【請求項４】
　第２の入力メディアストリーム内の参加者の人数は２人以上であると判定するステップと、
　顔の特徴または声の特徴に基づき、ミーティング招待者を前記第２の入力メディアストリーム内の参加者にマッピングするステップと
　を含むことを特徴とする請求項２に記載の方法。
　　【請求項５】
　前記入力メディアストリームの１つまたは連続するフレームにおける前記マッピングされた参加者のロケーション情報を判定するステップであって、前記ロケーション情報が前記マッピングされた参加者の中心座標および境界領域を備えるステップを含むことを特徴とする請求項２に記載の方法。
　　【請求項６】
　各入力メディアストリームの前記ビデオコンテンツに、各マッピングされた参加者の前記ロケーション情報に基づき、各マッピングされた参加者の前記識別情報でアノテーションを付けるステップを含むことを特徴とする請求項５に記載の方法。
　　【請求項７】
　各入力メディアストリームの前記ビデオコンテンツに、各マッピングされた参加者の判定されたロケーションについて、前記中心座標の周囲の境界領域内に、各マッピングされた参加者の前記識別情報でアノテーションを付けるステップを含むことを特徴とする請求項５に記載の方法。
　　【請求項８】
　複数のアノテーション付きメディアストリームを組み合わせて混合出力メディアストリームを作成し、前記複数のミーティングコンソールにより表示するステップを含むことを特徴とする請求項２に記載の方法。
　　【請求項９】
　命令を含むコンピュータ可読記憶媒体であって、前記命令は、実行されると、システムに、
　マルチメディア会議イベントのミーティング招待者のリストを受け取ることと、
　複数のミーティングコンソールから複数の入力メディアストリームを受け取ることと、
　各入力メディアストリーム内の参加者の人数を、特定の入力メディアストリームのオーディオコンテンツと前記特定の入力メディアストリームのビデオコンテンツとのうちの一方から検出することであって、前記検出された参加者の人数を、前記特定の入力メディアストリームの前記オーディオコンテンツと前記ビデオコンテンツとのうちの他方から確認することと、
　各入力メディアストリームのビデオコンテンツに、各入力メディアストリーム内の検出された各参加者の識別情報でアノテーションを付けて、対応するアノテーション付きメディアストリームを形成することであって、前記検出された各参加者の識別情報は、前記検出された参加者が前記ビデオコンテンツ内で動くにつれて前記検出された参加者とともに移動することと
　を実行させることを特徴とするコンピュータ可読記憶媒体。
　　【請求項１０】
　前記システムに、
　ミーティング招待者を検出された各参加者にマッピングすることと、
　各マッピングされた参加者の識別情報を検索することと、
　各入力メディアストリームの前記メディアフレームに、各入力メディアストリーム内の各前記マッピングされた参加者の前記識別情報でアノテーションを付けて、前記対応するアノテーション付きメディアストリームを形成すること
　を実行させる命令をさらに含むことを特徴とする請求項９に記載のコンピュータ可読記憶媒体。
　　【請求項１１】
　実行されると、前記システムに、
　第１の入力メディアストリーム内の参加者の人数は１人であると判定することと、
　前記第１の入力メディアストリームのメディアソースに基づき、ミーティング招待者を前記第１の入力メディアストリーム内の参加者にマッピングすることと
　を実行させる命令をさらに含むことを特徴とする請求項９に記載のコンピュータ可読記憶媒体。
　　【請求項１２】
　実行されると、前記システムに、
　第２の入力メディアストリーム内の参加者の人数が２人以上であると判定することと、
　顔の特徴または声の特徴に基づき、ミーティング招待者を前記第２の入力メディアストリーム内の参加者にマッピングすることと
　を実行させる命令をさらに含むことを特徴とする請求項９に記載のコンピュータ可読記憶媒体。
　　【請求項１３】
　マルチメディア会議イベントのミーティング招待者のリストを受け取り、複数のミーティングコンソールから複数の入力メディアストリームを受け取り、各入力メディアストリームのビデオコンテンツに、各入力メディアストリーム内の各参加者の識別情報でアノテーションを付けて、対応するアノテーション付きメディアストリームを形成するように動作するコンテンツベースのアノテーションコンポーネントを備えた装置であって、
　前記コンテンツベースのアノテーションコンポーネントは、
　各入力メディアストリーム内の参加者の人数を特定の入力メディアストリームのオーディオコンテンツと前記特定の入力メディアストリームのビデオコンテンツとのうちの一方から検出するよう動作するメディア分析モジュールであって、前記検出された参加者の人数を前記特定の入力メディアストリームの前記オーディオコンテンツと前記ビデオコンテンツとのうちの他方から確認する動作するメディア分析モジュールを備え、
　前記検出された各参加者の識別情報は、前記検出された参加者が前記ビデオコンテンツ内で動くにつれて前記検出された参加者とともに移動することを特徴とする装置。
　　【請求項１４】
　前記コンテンツベースのアノテーションコンポーネントは、
　前記メディア分析モジュールに通信可能に連結される参加者識別モジュールであって、ミーティング招待者を検出された各参加者にマッピングし、かつ、各マッピングされた参加者の識別情報を検索するよう動作する前記参加者識別モジュールと、
　前記参加者識別モジュールに通信可能に連結されるメディアアノテーションモジュールであって、各入力メディアストリームの前記ビデオコンテンツに、各入力メディアストリーム内の各マッピングされた参加者の前記識別情報でアノテーションを付けて、前記対応するアノテーション付きメディアストリームを形成するよう動作する前記メディアアノテーションモジュールと
　を備えることを特徴とする請求項１３に記載の装置。
　　【請求項１５】
　前記参加者識別モジュールは、第１の入力メディアストリーム内の参加者の人数が１人であると判定して、前記第１の入力メディアストリームのメディアソースに基づき、ミーティング招待者を前記第１の入力メディアストリーム内の参加者にマッピングするよう動作することを特徴とする請求項１４に記載の装置。
　　【請求項１６】
　前記参加者識別モジュールは、第２の入力メディアストリーム内の参加者の人数が２人以上であると判定して、顔の特徴、声の特徴、または前記顔の特徴および前記声の特徴の組み合わせに基づき、ミーティング招待者を前記第２の入力メディアストリーム内の参加者にマッピングするよう動作することを特徴とする請求項１４に記載の装置。
　　【請求項１７】
　前記メディアアノテーションモジュールに通信可能に連結されるロケーションモジュールであって、前記入力メディアストリームの１つまたは連続するフレームにおける前記マッピングされた参加者のロケーション情報を判定するよう動作し、前記ロケーション情報は前記マッピングされた参加者の中心座標および境界領域を含む、前記ロケーションモジュールを備えることを特徴とする請求項１４に記載の装置。
　　【請求項１８】
　前記メディアアノテーションモジュールは、各入力メディアストリームの前記ビデオコンテンツに、前記ロケーション情報に基づき、各前記マッピングされた参加者の前記識別情報でアノテーションを付けるよう動作することを特徴とする請求項１７に記載の装置。
　　【請求項１９】
　前記メディアアノテーションモジュールに通信可能に連結されるメディア混合モジュールであって、複数のアノテーション付きメディアストリームを受け取り、かつ、前記複数のアノテーション付きメディアストリームを組み合わせて混合出力メディアストリームを作成し、前記複数のミーティングコンソールによって表示するよう動作する前記メディア混合モジュールを備えることを特徴とする請求項１４に記載の装置。
　　【請求項２０】
　前記複数のミーティングコンソール間で前記マルチメディア会議イベントのマルチメディア会議の動作を管理するよう動作するマルチメディア会議サーバであって、前記コンテンツベースのアノテーションコンポーネントを備える前記マルチメディア会議サーバを備えることを特徴とする請求項１４に記載の装置。」
　
と補正しようとするものである。
　
　ここで、補正後の請求項１は、補正前の請求項１を補正したものである場合と、補正前の請求項２を補正したものである場合と、２通りの判断ができる。
　
　そこで、
（１）まず、補正後の請求項１は、補正前の請求項１を補正したものである場合として検討する。
　
　請求項１に関する上記補正は、補正前の請求項１の構成に、
「各入力メディアストリーム内の参加者の人数を、特定の入力メディアストリームのオーディオコンテンツと前記特定の入力メディアストリームのビデオコンテンツとのうちの一方から検出するステップであって、前記特定の入力メディアストリームの前記オーディオコンテンツと前記ビデオコンテンツとのうちの他方から、前記検出された参加者の人数を確認する、前記検出するステップ」（以下、『検出するステップ』という。）
というステップを追加するとともに、
「各参加者の識別情報」を「検出された各参加者の識別情報」、「前記各参加者の識別情報」を「前記検出された各参加者の識別情報」、「前記参加者が」を「前記検出された参加者が」、「前記参加者ともに移動させる」を「前記検出された参加者とともに移動する」と補正し、特許請求の範囲を減縮しようとするものである。
　
　しかし、補正前の請求項１には『検出するステップ』に関し、何ら記載がなく、さらに、該『検出するステップ』以外の発明特定事項である「ミーティング招待者のリストを受け取るステップ」、「複数の入力メディアストリームを受け取るステップ」、「対応するアノテーション付きメディアストリームを形成するステップ」のいずれの限定とも認められないので、本件補正は、補正前の請求項に記載した発明を特定するために必要な事項を限定するものではなく、発明特定事項の直列的付加にあたり、補正前の請求項１の限定的減縮であると認めることはできない。
　
（２）次に、補正後の請求項１は、補正前の請求項２を補正したものとして検討する。
　
　補正前の請求項２は、
「各前記入力メディアストリーム内の参加者の人数を検出するステップと、
　ミーティング招待者を各前記検出された参加者にマッピングするステップと、
　各マッピングされた参加者の識別情報を検索するステップと、
　各入力メディアストリームの前記ビデオコンテンツに、各入力メディアストリーム内の各マッピングされた参加者の前記識別情報でアノテーションを付けて、前記対応するアノテーション付きメディアストリームを形成するステップと
　を含むことを特徴とする請求項１に記載の方法。」
であるから、補正後の請求項１は、補正前の請求項２の構成に、
「ミーティング招待者を各前記検出された参加者にマッピングするステップと、
　各マッピングされた参加者の識別情報を検索するステップと、
　各入力メディアストリームの前記ビデオコンテンツに、各入力メディアストリーム内の各マッピングされた参加者の前記識別情報でアノテーションを付けて、前記対応するアノテーション付きメディアストリームを形成するステップ」
という構成を削除し、
「各前記入力メディアストリーム内の参加者の人数を検出するステップ」を、『検出するステップ』と補正したものであるから、直列的に記載された発明特定事項の一部の削除にあたり、補正前の請求項２の限定的減縮であると認めることはできない。
　
　したがって、（１）、（２）のいずれの場合について検討しても、本件補正は、特許法第１７条の２第５項第２号に規定する要件を満たしていないものである。
　
　また、請求項を削除した結果、いずれかの請求項が繰り上がって補正後の請求項１となったものでもなく、本件補正が、誤記の訂正、明りょうでない記載の釈明のいずれであるともすることはできないから、特許法第１７条の２第５項第１号、第３号、第４号に規定するいずれの要件をも満たしていないものである。
　
　以上のとおりであるから、本件補正は、特許法第１７条の２第５項各号の規定に違反するものであるから、同法第１５９条第１項において読み替えて準用する同法第５３条第１項の規定により却下すべきものである。
　
第３．本願発明について
　
１．本願発明
　
　上記のとおり、平成２５年１０月２１日付けの手続補正は却下されたので、本件出願の請求項１ないし２０に係る発明は、平成２５年２月１８日付け手続補正書の特許請求の範囲の請求項１ないし２０に記載されたとおりのものであり、そのうち、請求項１に係る発明（以下、「本願発明」という。）は、次のとおりである。
　
「マルチメディア会議イベントのミーティング招待者のリストを受け取るステップと、
　複数のミーティングコンソールから複数の入力メディアストリームを受け取るステップと、
　各前記入力メディアストリームのビデオコンテンツに、各前記入力メディアストリーム内の各参加者の識別情報で、プロセッサによりアノテーションを付けて、対応するアノテーション付きメディアストリームを形成するステップであって、前記各参加者の識別情報は、前記参加者が前記ビデオコンテンツ内で動くにつれて前記参加者ともに移動させることができる、ステップと
　を含むことを特徴とする方法。」
　
２．刊行物発明
　
（１）原審の拒絶理由に引用された、特開平９−２７１００６号公報（以下、「刊行物１」という。）には、図面とともに以下の事項が記載されている。
　
ア．「【０００１】
【発明の属する技術分野】本発明は、テレビ会議装置、特に複数のテレビ会議端末が多地点制御装置を介して接続される多地点テレビ会議装置に係わり、その会議参加者の名前等の個人情報の表示技術に関するものである。」
　
イ．「【００１８】図１、図２は、それぞれ第１の実施形態に係るテレビ会議端末と多地点制御装置（ＭＣＵ）の構成を示す機能ブロック図である。」
　
ウ．「【００２１】また、５はカメラ制御部、６はカメラ位置検出部である。カメラ制御部５は、カメラＣの撮影位置、すなわちパン（水平方向）やチルト（垂直方向）、さらにはズーム等を制御する。カメラ位置検出部６は、前記カメラ制御部５によって制御されるカメラＣの撮影位置（パン、チルト、ズーム等）を検出し、撮影位置情報としてデータインターフェース部７に出力する。データインターフェース部７は、データ入力装置８から入力される各種データや前記カメラ位置検出部６から入力される撮影位置情報に端末識別情報等を付加して多重分離部９に出力する。データ入力装置８としては、通常キーボードやライティングパッド等が用いられるが、これらの他に、本実施形態においては、会議参加者の名前等の個人情報を容易に入力するために、参加者情報入力手段として例えば名刺読取装置などが用いられる。
【００２２】従って、多地点制御装置に送られる参加者情報としては、名前等の個人情報と、その付加情報として、端末の識別情報とその参加者が適切に撮影される位置にカメラＣが向けられた場合のカメラＣの位置（例えば水平、垂直、ズームの３つの位置）情報を含む。また、前記データ入力装置８からは、自端末や相手端末のカメラＣの撮影位置を指定する操作入力データも入力される。なお、図示は省略したが、データインターフェース部７には、ＬＣＤ等の表示器も接続され、データ入力装置８とともに、相手会議端末やＭＣＵ間での各種データのやり取りに使用される。
【００２３】多重分離部９は、前記音声情報、映像（動画像）情報、及びその他のデータの多重分離を行うもので、この多重分離部９が回線インターフェース１０を介してＩＳＤＮ回線に接続されている。」
　
エ．「【００２５】一方、多地点制御装置（ＭＣＵ）を示す図２において、回線インターフェース２０を介して多重分離部２１が接続されており、この多重分離部２１は前記端末側の多重分離部９と同様、音声データ、動画像データ、及びその他のデータの多重分離を行う。当該多重分離部２１で分離された各端末からの音声データは、音声データインターフェース部２２を介して音声合成・切り換え部２３に送られる。この音声合成・切り換え部２３では、各端末からの音声データの合成（ミキシング）と切り換えが行われ、再び、音声データインターフェース部２２を介して多重分離部２１に送られ、画像データやその他のデータと多重化されて、各端末に送信される。
【００２６】２４は話者検出部であり、前記音声合成・切り換え部２３で合成される各端末の音声データの中から最大音量を示す音声データを検知して、その端末を話者のいる端末として検出する。前記音声合成・切り換え部２３は、話者検出部２４で検出した端末の音声データを含むように合成する音声データを切り換えて、各端末に送り返す。
【００２７】また、多重分離部２１で分離された各端末からの画像データは、画像データインターフェース部２５を介して画像合成・切り換え部２６に送られる。この画像合成・切り換え部２６では、各端末からの画像データの合成と切り換えが行われ、再び画像データインターフェース部２５を介して多重分離部２１に送られ、音声データやその他のデータと多重化されて、各端末に送信される。当該画像合成・切り換え部２６では、各端末からの画像データを約１／４に縮小して４端末の画像データを合成するが、話者検出部２４で検出した端末の画像データを含むように合成するデータを切り換えて、各端末に送り返す。
【００２８】一方、多重分離部２１で分離されたデータ、ここでは端末識別情報が付加された各端末毎の会議参加者情報は、データインターフェース部２７を介して、参加者情報重畳手段２８に送られる。
【００２９】この参加者情報重畳手段２８は、図３に示すように、参加者データ抽出部２８ａと、参加者データ書き込み部２８ｂと、参加者情報メモリ２８ｃと、画像切り換え検出部２８ｄと、参加者データ検索部２８ｅと、重畳回路２８ｆとから実現されている。
【００３０】参加者データ抽出部２８ａは、多重分離部２１によって各端末から送信されてくる画像や音声データより分離されたその他のデータから、参加者データ（情報）を抽出する。参加者データ書き込み部２８ｂは、抽出された参加者データを参加者情報メモリ２８ｃに格納する。画像切り換え検出部２８ｄは、話者検出部２４による話者検出によって画像合成・切り換え部２６の切り換えが起動されるのを検出し、いずれの端末に切り換えられたかを示す端末識別情報を出力する。参加者データ検索部２８ｅは、切り換えて表示される端末の参加者を映し出しているカメラ位置情報とその端末の識別情報を検索情報として、参加者情報メモリ２８ｃの中から所望の個人情報を検索して読み出す。重畳回路２８ｆは、この検索されて読み出された個人情報を対応する画像データに重畳（一般的にはスーパーインポーズと呼ばれる）する。」
　
オ．「【００３４】会議の開始時の状態では、通常、各端末の参加者全員が例えば図４の（Ａ）のように表示される。
【００３５】ここで、図４の（Ａ）に表示されているｃ地点の参加者ｃ１が発言したものとすると、ｃ地点の端末のシステム制御部１１は各マイクＭ１〜Ｍｎの出力に基づき参加者ｃ１を話者と認識して、カメラ制御部５を介し、その話者（参加者ｃ１）を画面上の適正な位置（通常はほぼ中央部）に表示するようにカメラＣの位置を制御して移動する。このカメラＣの位置が確定すると、その撮影位置がカメラ位置検出部６によって検出され、検出された位置情報（水平、垂直位置情報、また必要であれば、ズーム位置情報も）はデータインターフェース部７、多重分離部９、回線インターフェース１０及びＩＳＤＮ回線を介して音声情報や映像情報とともにＭＣＵに送信される。
【００３６】一方、ＭＣＵ側では、各端末から送られてくる音声情報の中から話者検出部２４によってｃ地点の参加者ｃ１の音声を検出すると、ｃ地点の端末を話者のいる端末をして、この音声情報を各端末に送信する。また、ｃ地点の端末の映像が各端末に送信する複数の映像の中に含まれるように画像合成・切り換え部２６によって合成する画像を切り換える。なお、本例では、会議参加端末が４端末でモニタＴの表示画面も４分割して表示するので、話者検出による実質的な映像の切り換えは行われないが、切り換えられたものとして話者のいる端末情報が参加者情報重畳手段２８の画像切り換え検出部２８ｄに出力される。参加者情報重畳手段２８では、参加者データ検索部２８ｅが画像切り換え検出部２８ｄで検出された話者のいる端末識別情報とこの端末から送信されてきたカメラ位置情報と予め登録されている参加端末の識別情報とから、表示すべき参加者の個人情報を検索して、話者のいる端末の映像に重畳する。この個人情報が重畳された画像は、各端末に送信されて、図４の（Ｂ）に示すようにモニタ上に表示される（斜線部が個人情報の表示部である）。すなわち、図４の（Ａ）のように表示されていた参加者ｃ１とその個人情報ｃ１０は、図４の（Ｂ）のように参加者（話者）ｃ１が中央部に移動するように表示状態が切り換わるとともに、それに対応して、個人情報ｃ１０も参加者ｃ１の表示位置に対応する位置に移動して表示される。なお、この時、ｃ地点の参加者が話者であることを特に明示するために、その画像の表示方法（サイズや位置など）を変更するようにしてもよい。」
　
　上記ア．〜オ．の記載及び関連する図面並びにこの分野における技術常識を考慮すると、
　
（ａ）刊行物１には、上記ア．及び上記ウ．及び上記エ．に記載があるように、テレビ会議参加者の個人情報を受け取り、映像データに個人情報を重畳する多地点制御装置に関しての記載がある。
　
（ｂ）上記ウ．の記載から、刊行物１の多地点制御装置は、テレビ会議参加者の個人情報を受け取るものである。
　
（ｃ）上記ウ．の段落【００２３】の記載から、上記エ．の段落【００２５】の動画像データは、映像データであるので、上記エ．の段落【００２５】〜【００２７】の記載によれば、刊行物１の多地点制御装置は、複数の端末からの多重化された音声データ、映像データ、及びその他のデータを受け取るものである。
　
（ｄ）上記エ．の段落【００３０】の記載によれば、刊行物１の多地点制御装置は、個人情報を対応する映像データに重畳するものであり、上記エ．の段落【００２５】〜【００２７】の記載によれば、刊行物１の多地点制御装置は、各端末からの多重化された音声データ、映像データ、及びその他のデータに含まれる映像データの合成と切り換えを行い、各端末に送信するものであり、上記オ．の記載によれば、刊行物１のある地点の端末にて、参加者ｃ１が発言すると、該端末は、話者（参加者ｃ１）を中央に表示するようにカメラの位置を制御して、映像データを多地点制御装置に送信し、多地点制御装置は、話者のいる端末の映像データに、表示すべき参加者の個人情報を重畳し、個人情報が重畳された映像データは各端末に送信されるものであり、各端末では、参加者全員が個人情報とともに表示されている状態から、話者が中央部に移動するように表示状態が切り換わり、それに対応して、個人情報を話者の表示位置に対応する位置に移動して表示するものである。
　すなわち、刊行物１の多地点制御装置は、各端末からの多重化された音声データ、映像データ、及びその他のデータに含まれる映像データに、参加者の個人情報を重畳し、個人情報付き映像データを送信する際に、参加者全員が個人情報とともに表示されている状態から、話者が中央部に移動するように表示状態が切り換わると、個人情報は、話者の表示位置に対応する位置に移動させることができるものである。
　
　そして、刊行物１の多地点制御装置は、上記（ｂ）〜（ｄ）に記載した動作を段階的に実施することから、刊行物１には以下の発明（以下、「刊行物１発明」という。）が開示されている。
　
［刊行物１発明］
　
「テレビ会議参加者の個人情報を受け取るステップと、
　複数の端末からの多重化された音声データ、映像データ、及びその他のデータを受け取るステップと、
　各端末からの多重化された音声データ、映像データ、及びその他のデータに含まれる映像データに、参加者の個人情報を重畳し、個人情報付き映像データを送信するステップであって、参加者全員が個人情報とともに表示されている状態から、話者が中央部に移動するように表示状態が切り換わると、個人情報は、話者の表示位置に対応する位置に移動させることができる、ステップと
　を含むことを特徴とする方法。」
　
（２）原審の拒絶理由に引用された、特開２００４−１２９０７１号公報（以下、「刊行物２」という。）には、図面とともに以下の事項が記載されている。
　
カ．「【０００１】
【発明の属する技術分野】
本発明は、例えばテレビ会議システムのような双方向コミュニケーションシステムに関する。」
　
キ．「【００２６】
地点Ａにおいて、テレビ会議装置１のビデオカメラ１１から出力した映像信号は、テレビ会議装置１からコンピュータ３に送られるとともに、ミキシング回路１２に送られる。ミキシング回路１２では、ビデオカメラ１１からの映像信号と、コンピュータ３からテレビ会議装置１に送られた映像信号とがミキシングされる。ミキシング回路１２から出力した映像信号は、ＡＤコンバータ１３でデジタル変換され、映像コーデック１４で符号化（圧縮）され、通信インタフェース１５からネットワーク１０１経由で地点Ｂのテレビ会議装置１の通信インタフェース１５に送信される。そして、地点Ｂにおいて、テレビ会議装置１の通信インタフェース１５で受信した映像データが、映像コーデック１４で復号（伸長）され、ＤＡコンバータ１６でアナログ変換され、テレビ会議装置１からモニター２に送られてモニター２に表示される。」
　
ク．「【００３０】
コンピュータ３内には、会議への参加予定者１人１人についてのデータを登録するためのデータベースが格納されている。図６は、このデータベースに登録されるデータを示す。
１人１人の参加予定者Ａ，Ｂ，Ｃ…，について、顔認識を行うための顔特徴データと、「○○部○○課長」というような肩書き及び名前を示す肩書き・名前データとがそれぞれ登録される。
（中略）
【００３９】
地点Ａのコンピュータ３内のデータベース（図６）には、会議開始前に、上記７名の参加予定者についての顔特徴データ及び肩書き・名前データをそれぞれ登録しておく。
【００４０】
会議の開始時刻になり、地点Ａでは、上記７名の参加予定者のうちの営業２部鈴木課長が急用で参加できなくなったが残りの６名が予定通り会議に参加したとする。
（中略）
【００４４】
これにより、地点Ｂのモニター２には、地点Ａのこの６名の参加者の映像が表示されるだけでなく、この６名の参加者１人１人の顔の近傍にその参加者の肩書き及び名前のテロップが表示される。図８は、このとき地点Ｂのモニター２に表示される映像を例示する図である。」
　
ケ．「【００５０】
また、例えば、地点Ａにおいて、テレビ会議装置１で参加者６名全員を画角に収めて撮影が行われている最中に、参加者が席を移動したり、一部の参加者が退席したりしたとする。
【００５１】
すると、やはりコンピュータ３で図７の処理のステップＳ１〜Ｓ３，Ｓ６，Ｓ４，Ｓ５が実行されるので、地点Ｂのモニター２には、移動後後の各参加者の顔の近傍や退席者を除く残りの参加者の顔の近傍にその参加者の肩書き及び名前のテロップが表示される。」
　
コ．「【００５４】
このようにして、地点Ａにおいて、テレビ会議装置１のビデオカメラ１１のズーム量・パンチルト量が変化したり、参加者の席の移動や退席があったり、途中から会議に参加した者がいたりしても、地点Ｂのモニター２には、現在表示されている各参加者の顔の近傍に、常にその参加者の肩書き及び名前のテロップが表示される。」
　
サ．「【００６１】
また、以上の例では、地点Ａ，地点Ｂにそれぞれ１台ずつコンピュータ３を設けている。しかし、別の例として、地点Ａ，地点Ｂのうちの１つの地点（あるいはネットワーク１０１経由で地点Ａ，地点Ｂに結ばれた別の１つの地点）に１台だけコンピュータ３を設け、そのコンピュータ３に、地点Ａ及び地点Ｂの両方の参加予定者についての顔特徴データ及び肩書き・名前データをデータベースに登録させて、この両方の参加者について図７の処理を実行させるようにしてもよい。」
　
　上記カ．〜サ．の記載及び関連する図面並びにこの分野における技術常識を考慮すると、
　
（ａ）刊行物２には、上記カ．及び上記キ．及び上記ク．に記載があるように、各参加者の位置の近傍に、その参加者の名前を表示させるテレビ会議システムに関しての記載がある。
　
（ｂ）上記ク．の記載によれば、刊行物２のテレビ会議システムのコンピュータには、地点の会議への参加予定者が登録されるものである。ここで、参加予定者とは、上記ク．の段落【００４０】の記載から、参加者だけでなく、参加を予定していたが参加できなかった人も含まれる。通常の会議で、会議の開始前に、会議に参加してもらいたい人を招待し、招待された人に対して参加するかどうかの確認をとることを考えると、参加を予定していた人とは、会議に招待された人もしくは会議に招かれ受諾した人、すなわち、招待者と考えるのが普通である。
　そして、上記サ．の記載によれば、刊行物２のテレビ会議システムは、各地点とは異なる場所に設けられたコンピュータに各地点の参加予定者を登録させても良いことが記載されている。
　
（ｃ）上記ク．の段落【００３６】、上記ケ．及び上記コ．の記載によれば、刊行物２のテレビ会議システムは、参加者が席を移動しても、参加者の顔の近傍に常にその参加者の名前が表示されるものである。
　
　したがって、刊行物２には以下の２つの発明が開示されている。（以下、「刊行物２Ａ発明」、「刊行物２Ｂ発明」とする。）
　
［刊行物２Ａ発明］
　
　各参加者の位置の近傍に、その参加者の名前を表示させるテレビ会議システムにおいて、会議への招待者が登録されるテレビ会議システム。
　
［刊行物２Ｂ発明］
　
　各参加者の位置の近傍に、その参加者の名前を表示させるテレビ会議システムにおいて、参加者が席を移動しても、参加者の顔の近傍に常にその参加者の名前が表示されるテレビ会議システム。
　
３．対比
　
　本願発明と刊行物１発明を対比する。
　
（ａ）本願発明の「マルチメディア会議イベントのミーティング招待者のリストを受け取るステップ」について
　
　刊行物１発明の「テレビ会議」は、「多重化された音声データ、映像データ、及びその他のデータ」を受け取るものである。すなわち、映像メディア、音声メディアなどの複数のメディアを扱う会議イベントであるから、本願発明の「マルチメディア会議イベント」に一致する。
　そして、本願発明の「ミーティング招待者」は、「マルチメディア会議イベント予約には、マルチメディア会議イベントのミーティング招待者のリストを含むことができる。ミーティング招待者のリストには、マルチメディア会議イベントに招待される個人のリストを含むことができる。いくつかの場合において、ミーティング招待者のリストには、マルチメディアイベントに招待され受諾した個人のみが含まれることもある。」（本願明細書段落【００３０】）の記載からみて、参加者だけでなく、招待された人若しくは招待され受諾した人を指す。したがって、上述のように、刊行物１発明の「参加者」と本願発明の「ミーティング招待者」は、相違するものの、『ミーティングに関連する人』という点では共通する。
　さらに、刊行物１発明は「個人情報を受け取る」ものであり、本願発明は「リストを受け取る」ものである点で相違するものの、ミーティングに関連する人の『所定の情報』を受け取るという点で共通する。
　そうすると、刊行物１発明の「テレビ会議参加者の名前等の個人情報を受け取るステップ」と、本願発明の「マルチメディア会議イベントのミーティング招待者のリストを受け取るステップ」は、「マルチメディア会議イベントのミーティングに関連する人の所定の情報を受け取るステップ」という点で共通する。
　
（ｂ）本願発明の「複数のミーティングコンソールから複数の入力メディアストリームを受け取るステップ」について
　
　刊行物１発明の「複数の端末からの多重化された音声データ、映像データ、及びその他のデータを受け取るステップ」において、「音声データ、映像データ、及びその他のデータ」とは、それぞれが何らかのメディアの流れであることから、メディアストリームであり、受取側から見ると、入力データである。そして、複数の端末からのそれぞれのデータを受け取るので、該データは複数となるから、刊行物１発明の「音声データ、映像データ、及びその他のデータ」は、本願発明の「複数の入力メディアストリーム」に一致する。
　そして、刊行物１発明の「端末」は、会議のために、音声データ、映像データ、その他のデータを入出力する装置であり、刊行物１の段落【００２１】に示されているように、キーボード等のデータ入力装置を含むものであるから、刊行物１発明の「複数の端末」は、本願発明の「複数のミーティングコンソール」に一致する。
　そうすると、刊行物１発明の「複数の端末からの多重化された音声データ、映像データ、及びその他のデータを受け取るステップ」と、本願発明の「複数のミーティングコンソールから複数の入力メディアストリームを受け取るステップ」は、一致する。
　
（ｃ）本願発明の「各前記入力メディアストリームのビデオコンテンツに、各前記入力メディアストリーム内の各参加者の識別情報で、プロセッサによりアノテーションを付けて、対応するアノテーション付きメディアストリームを形成するステップであって、前記各参加者の識別情報は、前記参加者が前記ビデオコンテンツ内で動くにつれて前記参加者ともに移動させることができる、ステップ」について
　
　刊行物１発明の「各端末からの多重化された音声データ、映像データ、及びその他のデータ」は、本願発明の「各入力メディアストリーム」に一致し、刊行物１発明の「映像データ」は、本願発明の「ビデオコンテンツ」に一致するものであるから、刊行物１発明の「各端末からの多重化された音声データ、映像データ、及びその他のデータに含まれる映像データ」は、本願発明の「各前記入力メディアストリームのビデオコンテンツ」に一致する。
　刊行物１発明の「参加者の個人情報を重畳し、個人情報付き映像データを送信する」について、ここでの参加者は、端末からの音声データ、映像データ、及びその他のデータを受け取るステップにおいて受け取った映像データ内に存在する参加者のことであり、個人情報は、参加者を識別する情報であるから、刊行物１発明の「参加者の個人情報」は、本願発明の「各前記入力メディアストリーム内の各参加者の識別情報」に一致する。そして、個人情報を重畳することにより、各参加者が誰であるかという注釈（アノテーション）を付けたものであり、個人情報付き映像データを送信するということは、送信に際して、個人情報という注釈を付けた映像データを形成しているものである。
　さらに、刊行物１の図２を見るに、刊行物１の多地点制御装置は、システム制御部２９を有するものであり、刊行物１には、システム制御部２９の動作に関しての具体的な記述は無いものの、刊行物１の段落【００２４】には、システム制御部１１に関して、「１１は上記各処理部を制御するシステム制御部であり、ＣＰＵ・・・等から成る。」と記載されていることから、システム制御部２９も、ＣＰＵ等から成り、多地点制御装置内の処理部である個人情報の重畳手段を制御するものであると解釈できるので、刊行物１発明においても、ＣＰＵ、すなわち、プロセッサによりアノテーションを付けるものである。
　したがって、刊行物１発明の「各端末からの多重化された音声データ、映像データ、及びその他のデータに含まれる映像データに、参加者の個人情報を重畳し、個人情報付き映像データを送信するステップ」は、本願発明の「各前記入力メディアストリームのビデオコンテンツに、各前記入力メディアストリーム内の各参加者の識別情報で、プロセッサによりアノテーションを付けて、対応するアノテーション付きメディアストリームを形成するステップ」に一致する。
　また、刊行物１発明は、「参加者全員が個人情報とともに表示されている状態から、話者が中央部に移動するように表示状態が切り換わると、個人情報は、話者の表示位置に対応する位置に移動させることができる、ステップ」を有することから、各参加者の識別情報（個人情報）は、参加者の表示位置が切り換わると、参加者とともに移動させることができるものである。したがって、刊行物１発明の「参加者全員が個人情報とともに表示されている状態から、話者が中央部に移動するように表示状態が切り換わると、個人情報は、話者の表示位置に対応する位置に移動させることができる、ステップ」と、本願発明の「前記各参加者の識別情報は、前記参加者が前記ビデオコンテンツ内で動くにつれて前記参加者ともに移動させることができる、ステップ」は、識別情報について、刊行物１発明は、話者が中央部に移動するように表示状態が切り換わると、話者の表示位置に対応する位置に移動させるものであり、本願発明は、前記参加者が前記ビデオコンテンツ内で動くにつれて前記参加者ともに移動させるものである点で相違するものの、「前記各参加者の識別情報は、前記参加者ともに移動させることができる、ステップ」という点で共通する。
　
　したがって、本願発明と刊行物１発明は、以下の点で一致ないし相違している。
　
（一致点）
「マルチメディア会議イベントのミーティングに関連する人の所定の情報を受け取るステップと、
　複数のミーティングコンソールから複数の入力メディアストリームを受け取るステップと、
　各前記入力メディアストリームのビデオコンテンツに、各前記入力メディアストリーム内の各参加者の識別情報で、プロセッサによりアノテーションを付けて、対応するアノテーション付きメディアストリームを形成するステップであって、前記各参加者の識別情報は、前記参加者ともに移動させることができる、ステップと
　を含むことを特徴とする方法。」
　
（相違点）
　
（１）ミーティングに関連する人の所定の情報を受け取るステップに関して、本願発明は、ミーティング招待者のリストを受け取るのに対し、刊行物１発明は、参加者の個人情報を受け取るものではあるが、招待者のリストを受け取ることについては、不明である点。
　
（２）前記各参加者の識別情報は、前記参加者ともに移動させることができることに関して、本願発明は、前記参加者が前記ビデオコンテンツ内で動くにつれて前記参加者ともに移動させるものであるのに対し、刊行物１発明は、話者が中央部に移動するように表示状態が切り換わると、話者の表示位置に対応する位置に移動させるものであるが、参加者の識別情報は、参加者が動いた場合にどの位置に表示されるかについては不明である点。
　
４．当審の判断
　
（１）相違点（１）について
　
　刊行物１発明と同様に、参加者の位置の近傍に名前を表示することにより参加者を識別できるテレビ会議システムにおいて、招待者を登録する刊行物２Ａ発明が知られている以上、招待者を登録したいという要求は、刊行物１発明においても、普通に想定できることである。また、登録を行うに際して、リストを受け取ることにより一括して登録を行うことも、情報処理における慣用手段である。したがって、刊行物１発明において、刊行物２Ａ発明を適用して、ミーティング招待者のリストを受け取る構成とすることは、容易に想到できるといえる。
　
（２）相違点（２）について
　
　テレビ会議の際に、参加者が動くことは通常のことであるから、刊行物１発明においても、参加者がビデオコンテンツ内で動く状況は、当業者であれば普通に想定できることである。そのような状況の場合に、個人情報は話者（参加者）の表示位置に対応する位置とする刊行物１発明において、刊行物２Ｂ発明を適用して、各参加者の識別情報は、前記参加者がビデオコンテンツ内で動くにつれて前記参加者ともに移動させる構成とすることは、容易に想到できるといえる。
　
　よって、各相違点については、格別のものではなく、本願発明に関する作用・効果も、刊行物１発明及び刊行物２Ａ発明及び刊行物２Ｂ発明及び周知技術から当業者が予測できる範囲のものである。
　
　したがって、本願発明は、刊行物１発明及び刊行物２Ａ発明及び刊行物２Ｂ発明及び周知技術に基づいて、当業者が容易に発明をすることができたものである。
　
第４．まとめ
　
　以上のとおり、本願の請求項１に係る発明は、刊行物１発明及び刊行物２Ａ発明及び刊行物２Ｂ発明及び周知技術に基づいて、当業者が容易に発明をすることができたものであるから、特許法第２９条第２項の規定により特許を受けることができない。
　したがって、本願は、その余の請求項について論及するまでもなく、拒絶すべきものである。
　よって、結論のとおり審決する。